(57)【特許請求の範囲】
【請求項１】
液状内容物を収容する容器の口部に連結される連結部と、該連結部に設けられ、該連結部よりも上方に突出して容器内部に連通する注出筒部と、前記連結部にヒンジ部を介して揺動自在に連結され、前記注出筒部を上方から覆って前記連結部に着脱自在に嵌着されるキャップとを備えるキャップ付き注出口体であって、前記注出筒部の先端部には、注出される液状内容物を案内すべく該注出筒部の径方向外方に湾曲して折り返された折返片が形成されており、前記キャップの内側には、前記連結部に嵌着した際に前記注出筒部を閉塞する閉塞部が設けられているものにおいて、
前記閉塞部は、前記注出筒部の先端部に挿入する挿入突部と、該挿入突部の外周に沿って形成された外周突部と、挿入突部と外周突部との間に形成されて前記折返片を収容する溝状部とを備え、
前記挿入突部は、前記注出筒部の先端部の内周面に全周にわたり密着する第１封止面と、注出筒部の先端部の内周面に形成された段差部に係止される第１係止部とを備え、
前記溝状部は、折返片の上面の湾曲形状に対応して少なくとも一部が折返片の全周にわたり密着する第２封止面を備え、
前記外周突部は、前記折返片の外周端縁の下方で径方向内方に突出して該折返片に係止される第２係止部とを備えることを特徴とするキャップ付き注出口体。
【請求項２】
前記キャップは、前記注出筒部を上方から覆ってその内面に前記閉塞部が設けられた上部覆壁と、該上部覆壁の周縁に連設されて下端縁が前記連結部に当接する円筒状の側部覆壁と、該側部覆壁の下端側内面の前記ヒンジ部を除く範囲に円弧状に形成された嵌着部とを備え、
前記連結部は、前記側部覆壁の嵌着部に対応して円弧状に連続して形成された被嵌着部を備えることを特徴とする請求項１記載のキャップ付き注出口体。
【請求項３】
前記注出筒部の前記折返片を含む先端部と前記キャップとは、該注出筒部の先端部を除く部分よりも弾性が小さく且つ高い伸長性を有することを特徴とする請求項１又は２記載のキャップ付き注出口体。
【発明の詳細な説明】
【技術分野】
【０００１】
本発明は、容器の口部に設けられて容器内の内容物を注出する際に内容物を案内する注出筒部と該注出筒部を開閉するキャップとを備えるキャップ付き注出口体に関する。
【背景技術】
【０００２】
従来、醤油・ソース等の調味料やサラダドレッシングといった液状の食品類を内容物として収容する容器においては、その口部に内容物の注出を案内するための注出筒部を備える合成樹脂製の注出口体が設けられる。この種の注出口体は、未開封状態での容器の密封性を確保するためにプルリングを引っ張ることによって切除されて初期開封される剥き中栓を注出筒部に備え、開封後には再度密封することができるように注出筒部を覆うキャップがヒンジ部を介して嵌着自在に設けられている（例えば、特許文献１参照）。
【０００３】
しかし、剥き中栓は、初期開封時にプルリングと容器とを引き離すようにして切除しなければならず、比較的大きな引張り力を必要とするために切除されると同時にその反動による振動で容器内部の内容物が注出筒部から飛散することがある。
【０００４】
また、初期開封後に保管する場合には、キャップにより注出筒部を再封して容器内部への異物混入や内容物の漏れを防止することが行われるが、不用意に容器を転倒或いは落下させたりすると、その衝撃で注出口体全体が歪み、注出筒部の外部に内容物が漏れ出して注出筒部の外面やキャップの内面に付着したり、場合によってはキャップが外れて内容物が容器外部に流れ出すおそれがある。
【０００５】
また、一般に、注出筒部を閉塞するためにキャップの内面に円筒状の突起を設け、キャップを閉じたときにこの突起が注出筒部に挿着されるようになっているものがあるが、特に、液切れや液垂れを防止するために、注出筒部の先端部に径方向外方に湾曲して折り返された折返片が形成されている場合には、折返片の湾曲する面と突起との当接面積が比較的小さく、確実な密封性が得られない。
【０００６】
また、容器の転倒や落下に伴う衝撃を受けたときにキャップの外れを防止するためには、キャップの嵌着力を大として注出筒部の封止状態を強固に維持することが考えられるが、その反面、キャップの開閉作業が困難となり使用感が悪くなる。
【特許文献１】特開２００１−６３７４７号公報
【発明の開示】
【発明が解決しようとする課題】
【０００７】
本発明は、上記の点に鑑み、剥き中栓を採用することなく未開封状態での容器の密封性を確保できて、衝撃が付与された場合であっても高い密封性を維持することができ、しかも、開閉作業が容易な使用感の良いキャップ付き注出口体を提供することをその課題とする。
【課題を解決するための手段】
【０００８】
本発明は、上記の課題を解決するために、液状内容物を収容する容器の口部に連結される連結部と、該連結部に設けられ、該連結部よりも上方に突出して容器内部に連通する注出筒部と、前記連結部にヒンジ部を介して揺動自在に連結され、前記注出筒部を上方から覆って前記連結部に着脱自在に嵌着されるキャップとを備えるキャップ付き注出口体であって、前記注出筒部の先端部には、注出される液状内容物を案内すべく該注出筒部の径方向外方に湾曲して折り返された折返片が形成されており、前記キャップの内側には、前記連結部に嵌着した際に前記注出筒部を閉塞する閉塞部が設けられているものにおいて、前記閉塞部は、前記注出筒部の先端部に挿入する挿入突部と、該挿入突部の外周に沿って形成された外周突部と、挿入突部と外周突部との間に形成されて前記折返片を収容する溝状部とを備え、前記挿入突部は、前記注出筒部の先端部の内周面に全周にわたり密着する第１封止面と、注出筒部の先端部の内周面に形成された段差部に係止される第１係止部とを備え、前記溝状部は、折返片の上面の湾曲形状に対応して少なくとも一部が折返片の全周にわたり密着する第２封止面を備え、前記外周突部は、前記折返片の外周端縁の下方で径方向内方に突出して該折返片に係止される第２係止部とを備えることを特徴とする。
【０００９】
本発明によれば、上記構成を採用したことにより、挿入突部の第１封止面が注出筒部の先端部の内周面に密着して高い密封性を確保でき、挿入突部の第１係止部が注出筒部の先端部の段差部に係止されるので、注出筒部への挿入突部の挿入状態を確実に維持することができる。更に、挿入突部と外周突部との間の溝状部は、その第２封止面が少なくとも折返片の一部に密着して折返片との密封性が確保でき、外周突部の第２係止部が折返片の下方に突出して折返片に係止されるので、折返片と溝状部との密着状態を確実に維持することができる。従って、剥き中栓を採用することなく未開封状態での容器の密封性を確実に確保することができ、従来の剥き中栓の切除時に見られるような内容物の飛散もなく、更に、容器の転倒や落下の際に注出口体全体に衝撃が付与された場合であっても注出筒部の閉塞状態を維持することができる。
【００１０】
また、本発明において、前記キャップは、前記注出筒部を上方から覆ってその内面に前記閉塞部が設けられた上部覆壁と、該上部覆壁の周縁に連設されて下端縁が前記連結部に当接する円筒状の側部覆壁と、該側部覆壁の下端側内面の前記ヒンジ部を除く範囲に円弧状に形成された嵌着部とを備え、前記連結部は、前記側部覆壁の嵌着部に対応して円弧状に連続して形成された被嵌着部を備えることを特徴とする。
【００１１】
これによれば、キャップの側部覆壁の嵌着部が、連結部に円弧状に連続して形成された被嵌着部に確実に嵌着し、容器の転倒や落下の際に注出口体全体に衝撃が付与された場合であってもキャップの外れを確実に防止して注出筒部の閉塞状態を維持することができる。更に、キャップを連結部に嵌着したときに、それに伴う音や感触が適度に得られてキャップが閉じられたことを明確に感じ取ることができ、キャップ操作に関わる使用感が良いだけでなく、キャップが不十分に閉じられた状態を防止することができる。
【００１２】
また、本発明において、前記注出筒部の前記折返片を含む先端部と前記キャップとは、該先端部を除く前記注出筒部よりも弾性が小さく且つ高い伸長性を有することが好ましい。こうすることにより、注出筒部の先端部と第１封止面とに粘りのある密着状態が得られ、同様に、折返片と第２封止面とに粘りのある密着状態が得られる。これによって、注出口体が衝撃を受けてキャップと折返片とに歪みが生じても、折返片と第２封止面とが互いに柔軟に追従して折返片と第２封止面との間に隙間が生じることがなく密着状態を確実に維持することができる。一方、注出筒部の先端部を除く部分においては、当該先端部及びキャップに比べて弾性が高く伸長性が低いので比較的変形し難い硬さを有する。これにより、先端部を除く注出筒部はその形状を確実に維持して挿入突部を円滑に脱出させることができ、開閉動作が容易となる。
【００１３】
なお、本発明においては、前記注出筒部の前記折返片を含む先端部を除く部分に、比較的弾性が大きく伸長性が低い補強材を設けておくことができる。こうすることにより、補強材を設けるだけで、前記注出筒部の前記折返片を含む先端部と前記キャップとを、該先端部を除く前記注出筒部よりも弾性が小さく且つ高い伸長性を有するように形成することが容易となる。
【００１４】
更に、本発明のキャップ付き注出口体は、前記液状内容物として液状調味料を収容する容器に好適に用いられる。即ち、液状調味料が充填されている容器の転倒や落下の際であっても、キャップの外れを確実に防止して、閉塞状態を維持することができると共に、開閉動作も容易とすることができる。
【発明を実施するための最良の形態】
【００１５】
本発明の一実施形態を図面に基づいて説明する。図１及び図２は本実施形態である注出口体の断面図であり、図３はその要部を拡大して示す説明図である。
【００１６】
図１及び図２を参照して、注出口体１は、醤油、ソース、液状だし、ポン酢、或いは、ドレッシング等の液状調味料を内容物として充填されたプラスチック製やガラス製等の容器２の口部３に連結される連結部４と、該連結部４にヒンジ部５を介して連結されたキャップ６とを備えている。
【００１７】
連結部４は、円盤状の天板部７と、該天板部７から上方に向かって突出する注出筒部８とを備えている。また、連結部４は容器２の口部３に装着する装着筒部９を備え、装着筒部９には、容器２の口部３の外周面に形成された環状溝１０と嵌合する環状凸部１１が形成されている。
【００１８】
注出筒部８は、容器２の内部と連通し、容器２に充填された液状内容物を先端から注出する。注出筒部８の先端部１２には、注出筒部８の径方向外方に湾曲して折り返された折返片１３が形成されている。これにより、例えば、傾けた容器２を直立姿勢に戻して内容物の注出を止める際に、表面張力により内容物の一部が注出筒部８の先端部１２に留まることなく、折返片１３の湾曲によって、液状体がそのまま注出されるものと容器２内に戻るものとに二分され、液切れが良好となっている。
【００１９】
また、注出筒部８は、その基端１４の内径が先端部１２の内径よりも大きく形成されており、先端部１２を除く注出筒部８及び連結部４の天板部７にかけて補強材１５が設けられている。
【００２０】
キャップ６は、注出筒部８を上方から覆っう上部覆壁１６と、上部覆壁の周縁に連設されて下端縁が前記連結部４に当接する円筒状の側部覆壁１７とを備えている。上部覆壁１６には、注出筒部８を閉塞する閉塞部１８が設けられている。閉塞部１８は、図３に示すように、注出筒部８の先端部１２に挿入する挿入突部１９と、該挿入突部１９の外周に沿って形成された外周突部２０とからなり、更に、挿入突部１９と外周突部２０との間には、折返片１３を収容する溝状部２１が形成されている。
【００２１】
挿入突部１９は、注出筒部８の先端部１２の内周面に密着する第１封止面２２を備えると共に、注出筒部８の先端部１２の内周面に形成された段差部２３に係止される第１係止部２４を備えている。また、溝状部２１は、折返片１３の上面の湾曲形状に対応して密着する第２封止面２５を備えている。更に、外周突部２０には、折返片１３の外周端縁の下方で径方向内方に突出して折返片１３の先端に係止される第２係止部２６が形成されている。
【００２２】
図１及び図２に示すように、キャップ６の側部覆壁１７には、その下端縁に沿った内面に円弧状の内周凸部２７（嵌着部）が形成されている。内周凸部２７は、前記ヒンジ部５を除く範囲に連続して延設されている。一方、連結部４の天板部７の外周端部上には、キャップ６を閉めた際に側部覆壁１７に挿着される挿着突縁２８が形成されており、挿着突縁２８の先端部外周には前記内周凸部２７に係合する外周凸部２９（被嵌着部）が形成されている。挿着突縁２８及び外周凸部２９は、前記内周凸部２７に対応して、前記ヒンジ部５を除く範囲に連続して円弧状に延設されている。
【００２３】
本実施形態の注出口体１は、合成樹脂による射出成型によって形成されている。使用する合成樹脂材料としては、弾性が比較的小さく且つ伸長性が比較的高いものが好ましく、具体的には、低密度ポリエチレン（ＬＤＰＥ）や直鎖状低密度ポリエチレン（ＬＬＤＰＥ）を挙げることができる。更に、キャップ６と連結部４との各係合部分や接触部分に適度な滑り性を得てキャップ６の開閉動作が円滑に行えるように、低密度ポリエチレン（ＬＤＰＥ）や直鎖状低密度ポリエチレン（ＬＬＤＰＥ）に滑剤（例えば、脂肪酸アマイド等）を添加してもよい。また、前述した通り、連結部４においては先端部１２を除く注出筒部８及び天板部７にかけて補強材１５が設けられている。補強材１５としては、例えば、ポリプロピレン（ＰＰ）やポリエチレン（ＰＥ）による多層構造のシート成型体が挙げられる。本実施形態においては、このシート成型体を所定形状にトリミングし、図示しない成型金型内に予め配置して射出成型を行うことにより補強材１５を一体に備える連結部４を形成している。そして、注出筒部８はその先端部１２を除く部分に補強材１５を備えることで、弾性が比較的大きくなり且つ伸長性が比較的低くなる。これにより、補強材１５が設けられていない注出筒部８の折返片１３を含む先端部１２とキャップ６とは、補強材１５が設けられた部分よりも弾性が小さく且つ高い伸長性を有することになる。なお、図示するように、本実施形態においては、キャップ６と連結部４とが別体とされているが、キャップ６と連結部４とは一体に成型することも可能である。
【００２４】
次に、本実施形態の注出口体１の作用を説明する。注出口体１が未開封状態にあるとき、図１に示すように、キャップ６の側部覆壁１７の内周凸部２７と連結部４の外周凸部２９とが比較的広範囲にわたる係合状態にあって、注出筒部８を上方から覆った状態を維持している。このとき、キャップ６の閉塞部１８が注出筒部８を閉塞し、密封状態を維持している。即ち、図３に示すように、注出筒部８の先端部１２には挿入突部１９が挿入されて、第１封止面２２が注出筒部８の先端部１２の内周面に密着し、第１係止部２４が注出筒部８の先端部１２の段差部２３に係止されている。更に、溝状部２１の第２封止面２５が折返片１３の上面に密着し、外周突部２０の第２係止部２６が折返片１３の外周端縁に係止されている。この状態によって容器２の密封状態が保たれているが、更に、注出筒部８の先端部１２とキャップ６とが前記合成樹脂材料によって弾性が比較的小さく且つ比較的高い伸長性を有していることにより、第１封止面２２と注出筒部８の先端部１２の内面とが粘りのある密着状態を形成し、同じく、第２封止面２５と折返片１３とが粘りのある密着状態を形成する。これによって、容器２の転倒や落下により注出口体１に衝撃が付与されても、キャップ６の連結部４への嵌着状態が維持されるだけでなく、その際に歪みが生じても第１封止面２２と注出筒部８の先端部１２の内面との間や第２封止面２５と折返片１３との間に隙間が生じ難く、未開封状態を確実に維持することができる。なお、図３においては、第２封止面２５が折返片１３の湾曲する上面の全面に密着しているものを示したが、十分な密着性が得られるのであれば、第２封止面２５の一部が折返片の全周にわたり密着していればよい。
【００２５】
また、注出口体１は、図２に示すように、使用者がキャップ６を外すことにより開封することができるが、このとき、従来の剥き中栓と異なり、ヒンジ部５を介してキャップ６を揺動させるだけで閉塞部１８が注出筒部８から離反させることができるので、開封時の反動による容器２の揺れも少なく、内容物の飛散等を防止することができる。更にこのとき、注出筒部８の先端部１２を除く部分においては、当該先端部１２及びキャップ６に比べて弾性が高く伸長性が低いので比較的変形し難い硬さを有する。これによって、注出筒部８の形状が確実に維持されて挿入突部１９が注出筒部８から円滑に脱出させて容易に開封することができる。
【００２６】
そして、内容物を注出後、図１に示すように、使用者が注出口体１のキャップ６を閉じるときには、キャップ６の内周凸部２７と連結部４の外周凸部２９とが比較的広範囲にわたって設けられていることにより、キャップ６を連結部４に嵌着したときの嵌着音や嵌着感が得られる。使用者は、このときの嵌着音や嵌着感に基づいてキャップ６が完全に閉じられたことを明確に感じ取ることができる。
【００２７】
更に、容器内に充填された液状調味料は、使用者がキャップ６を外すことにより開封することができる。このことは、従来の剥き中栓と異なり、開栓時に内容物が飛散して衣服を汚すこともない。また、キャップ６を閉じる時は、連結部４に嵌着したときの音や感触が得られることで、使用者はキャップ６が完全に閉じられたことを明確に感じ取ることができる。このことは、液状調味料を振ろうとする際に思わぬ流出、飛散を防止するのに都合のよいものである。
【図面の簡単な説明】
【００２８】
【図１】本発明の一実施形態である注出口体の封止状態の断面図。
【図２】図１の注出口体の開放状態の断面図。
【図３】図１の注出口体の要部を拡大して示す説明図。
【符号の説明】
【００２９】
１…注出口体、２…容器、３…口部、４…連結部、５…ヒンジ部、６…キャップ、８…注出筒部、１３…折返片、１６…上部覆壁、１７…側部覆壁、１８…閉塞部、１９…挿入突部、２０…外周突部、２１…溝状部、２２…第１封止面、２３…段差部、２４…第１係止部、２５…第２封止面、２６…第２係止部、２７…内周凸部（嵌着部）、２９…外周凸部（被嵌着部）。
【図１】
0005076184.tif 000002
【図２】
0005076184.tif 000003
【図３】
0005076184.tif 000004